(57)【要約】  この発明に係るエレベータ制御盤によれば、制御盤本体の前面に障害物がある場合における扉の開閉作業性を向上させることができるとともに、制御盤本体の前面に障害物が無い場合には、扉の開閉作業性をより向上させる。  このエレベータ制御盤では、扉は、それぞれが対角線上の第１のコーナ部及び第２のコーナ部で第１の枠及び第２の枠に回動可能に設けられているとともに、上側の下辺部位が下側の上辺部位を外側から重ね合わせるように配設された、矩形状の複数のカバー片で構成され、前記第２の枠を上下動することで、第２の枠は、前記第１の枠に対して平行運動するとともに、各前記カバー片は、前記第１のコーナ部を中心に前記前面に沿って回動し、また、前記第２の枠を前記第１の枠を中心に回動することで、各前記扉は、前記開口部を開閉するようになっている。
2008105060.tif 000002
【特許請求の範囲】
【請求項１】
昇降路内に設けられ、エレベータの駆動を制御する制御装置を収納するとともに前面に開口部が形成された制御盤本体と、
前記開口部を開閉する扉と、
前記制御盤本体の前記前面側の一方の側縁部に上下方向に延びて設けられた第１の枠と、
この第１の枠に対向して前記前面側の他方の側縁部に上下方向に平行に延びて設けられた第２の枠とを備え、
前記扉は、それぞれが対角線上の第１のコーナ部及び第２のコーナ部で前記第１の枠及び前記第２の枠に回動可能に設けられているとともに、上側の下辺部位が下側の上辺部位を外側から重ね合わせるように配設された、矩形状の複数のカバー片で構成され、
前記第２の枠を上下動することで、第２の枠は、前記第１の枠に対して平行運動するとともに、各前記カバー片は、前記第１のコーナ部を中心に前記前面に沿って回動し、
また、前記第２の枠を前記第１の枠を中心に回動することで、各前記扉は、前記開口部を開閉するようになっていることを特徴とするエレベータ制御盤。
【請求項２】
前記カバー片及び前記第２の枠には、それぞれ前記第２の回動軸が遊動する長孔が形成され、前記長孔及び前記第２の回動軸の協同により、各前記カバー片が水平方向から９０°回動した状態で保持されることを特徴とする請求項１に記載のエレベータ制御盤。
【発明の詳細な説明】
【技術分野】
【０００１】
この発明は、制御盤本体の開口部の前面に、上側のカバー片の下辺部位が下側のカバー片の上辺部位を外側から重ね合わせるように配設された扉を備えたエレベータ制御盤に関する。
【背景技術】
【０００２】
従来、昇降路内に設置されるエレベータ制御盤として、制御盤本体の開口部の前面に、上側のカバー片の下辺部位が下側のカバー片の上辺部位を外側から重ね合わせるように配設された扉を設け、上方からの水が開口部から制御盤本体の内部に浸入するのを防止したエレベータ制御盤が知られている（例えば、特許文献１参照）。
このエレベータ制御盤では、制御盤本体の開口部の全域を開放する場合には、最下位のカバー片から最上位のカバー片まで順次一つずつ制御盤本体から下方向に移動させて取り外す。【０００３】
【特許文献１】特開２００２−３３８１５２号公報
【発明の開示】
【発明が解決しようとする課題】
【０００４】
このエレベータ制御盤では、制御盤本体の前方に障害物があった場合でも、扉を開く作業を行うことができるものの、カバー片を順次一つずつ制御盤本体から下方向に移動させて取り外さなければならず、扉の開放作業が面倒であるという問題点があった。
同じように、扉を閉じる作業のときは、最下位のカバー片から最上位のカバー片まで順次一つずつ制御盤本体に取り付けなければならず、扉の閉じる作業も扉の開放作業と同様に面倒であるという問題点があった。
また、この面倒な扉の開閉作業は、制御盤本体の前方に障害物が無い場合でも同様であった。
【課題を解決するための手段】
【０００５】
この発明に係るエレベータ制御盤では、昇降路内に設けられ、エレベータの駆動を制御する制御装置を収納するとともに前面に開口部が形成された制御盤本体と、前記開口部を開閉する扉と、前記制御盤本体の前記前面側の一方の側縁部に上下方向に延びて設けられた第１の枠と、この第１の枠に対向して前記前面側の他方の側縁部に上下方向に平行に延びて設けられた第２の枠とを備え、前記扉は、それぞれが対角線上の第１のコーナ部及び第２のコーナ部で前記第１の枠及び前記第２の枠に回動可能に設けられているとともに、上側の下辺部位が下側の上辺部位を外側から重ね合わせるように配設された、矩形状の複数のカバー片で構成され、前記第２の枠を上下動することで、第２の枠は、前記第１の枠に対して平行運動するとともに、各前記カバー片は、前記第１のコーナ部を中心に前記前面に沿って回動し、また、前記第２の枠を前記第１の枠を中心に回動することで、各前記扉は、前記開口部を開閉するようになっている。
【発明の効果】
【０００６】
この発明に係るエレベータ制御盤によれば、制御盤本体の前面に障害物がある場合における扉の開放作業性が向上し、また制御盤本体の前面に障害物が無い場合には、前面に障害物がある場合と比較してさらに扉の開閉作業性が向上する。
【図面の簡単な説明】
【０００７】
【図１】この発明の実施の形態１のエレベータ制御盤を示すエレベータの平断面図である。
【図２】図１のエレベータ制御盤を示す正面図である。
【図３】図２の平面図である。
【図４】図２の右側面図である。
【図５】図３のエレベータ制御盤の前面、左側隅部の拡大図である。
【図６】図２のエレベータ制御盤の第２の枠を手前に引き出した状態の右側面図である。
【図７】図２のエレベータ制御盤の扉の開放途中を示す正面図である。
【図８】図７の平面図である。
【図９】図２のエレベータ制御盤の扉が起立したときの正面図である。
【図１０】図９の平面図である。
【図１１】図２のエレベータ制御盤の扉が開放したときの正面図である。
【図１２】図１１の平面図である。
【図１３】図１２の要部拡大図である。
【図１４】図２のエレベータ制御盤が２段積層されたときの正面図である。
【図１５】図１４の右側面図である。
【図１６】図１４の平面図である。
【図１７】図１４のエレベータ制御盤の扉の開放途中を示す正面図である。
【図１８】図１４のエレベータ制御盤の扉の開放途中を示す正面図である。
【図１９】図１８の平面図である。
【図２０】この発明の実施の形態２のエレベータ制御盤を示す正面図である。
【図２１】図２０のエレベータ制御盤の扉の開放途中を示す正面図である。
【図２２】図２０のエレベータ制御盤の扉が起立した状態で保持された様子を示す正面図である。
【発明を実施するための最良の形態】
【０００８】
実施の形態１．
図１はこの発明の実施の形態１のエレベータ制御盤を示すエレベータの平断面図である。
このエレベータは、昇降路１の頂部の壁面にエレベータ制御盤２が設けられている。このエレベータ制御盤２の保守点検は、点検作業員が乗場４からかご３上に飛び乗り、安全柵５で周りが囲まれたかご３上を足場としてエレベータ制御盤１にアクセスして行われている。【０００９】
図２は図１のエレベータ制御盤２を示す正面図、図３は図２の平面図、図４は図２を右側から視たときの側面図である。
このエレベータ制御盤２は、エレベータの駆動を制御する制御装置を収納するとともに前面に開口部６が形成された制御盤本体７と、開口部６を開閉する扉８と、制御盤本体７の前面側の一方の側縁部に上下方向に延びて設けられた断面Ｌ字形状の第１の枠９と、この第１の枠９に対向して前面側の他方の側縁部に上下方向に平行に延びて設けられた断面Ｌ字形状の第２の枠１０とを備えている。【００１０】
扉８は、矩形状の６枚のカバー片１１で構成されている。各カバー片１１は、上側のカバー片１１の下辺部位が下側のカバー片１１の上辺部位を外側から重ね合わせるように配設されている。それぞれのカバー片１１は、第１のコーナ部で第１の枠９と第１の回動軸１２を介して回動可能に取り付けられている。また、それぞれのカバー片１１は、第１のコーナ部に対して対角線上の第２のコーナ部で第２の枠１０と第２の回動軸１３を介して回動可能に取り付けられている。
カバー片１１、第１の枠９及び第２の枠１０を貫通した、第１の回動軸１２及び第２の回動軸１３は、両端部に頭部を有している。この頭部間に係止されたカバー片１１は、回動軸１２，１３に沿ってある程度の移動が可能である。
なお、回動軸１２，１３としては、こねじ、ボルト及びナット、あるいは枠９，１０に対してカバー片１１の回動及び前後方向の移動を可能にする専用部品を用いればよい。【００１１】
図５は図３のエレベータ制御盤２の前面、左側隅部の拡大図である。
制御盤本体７の側壁面には、蝶番１４を介して第１の枠９が回動可能に設けられている。この蝶番１４は、第１の枠９に所定の間隔を空けて３箇所に設けられている。
なお、図示されていないが、扉８が閉じられた状態を保持するために、第２の枠１０と制御盤本体７との間に、例えばパチン錠を設けられる。【００１２】
次に、上記構成のエレベータ制御盤２の扉８を開放する手順について図６〜図１３に基づいて説明する。
先ず、作業者は、第２の枠１０を制御盤本体７から前方に引き出すことで、図６に示すように、隣接したカバー片１１間の隙間が増大する。この状態で第２の枠１０を押し上げることで、第２の枠１０は、第１の枠９に対して平行運動するとともに、図７に示すように、各カバー片１１は、第１の回動軸１２を中心に制御盤本体７の前面に沿って回動するとともにカバー片１１同士は漸次重ねられる。引き続き、第２の枠１０を制御盤本体７から押し上げることで、個々のカバー片１１は、９０°回動し、互いに部分的に重なるようにして垂直線上に整列される、即ち図９に示すように、扉８は起立した形態となる。
この後、第２の枠１０を手前に引くことで、起立した扉８は、蝶番１４を中心に、図１２及び図１３の矢印Ａ方向にほぼ９０°回動し、制御盤本体７の開口部６は、図１１に示すように完全に開放される。【００１３】
なお、エレベータ制御盤２の扉８を閉じるときには、上述した扉８の開放手順と逆の手順で行えばよい。
即ち、起立した扉８を制御盤本体７側が押して蝶番１４を中心に９０°回動し、その後第２の枠１０を押し下げて各カバー片１１を倒伏し、制御盤本体７の開口部６を扉８で閉じる。最後に、例えばパチン錠を用いた扉８が閉じられた状態を保持する。【００１４】
以上説明したように、このエレベータ制御盤２によれば、制御盤本体７の開口部６の開閉は、扉８が起立した状態で第１の枠９を中心に９０°回動して行われので、回動半径が小さくてよく、図１に示すようにエレベータ制御盤２の前方に接近して安全柵５がある場合でも、安全柵５に邪魔されることなく制御盤本体７の開口部６の開閉が可能となり、作業者は、エレベータ制御盤２内の制御装置へ簡単にアクセスすることができる。
なお、エレベータ制御盤２の前方に障害物が無く、扉８が制御盤本体７の開口部６を閉じた状態、即ち扉８が倒伏した状態そのままで蝶番１４を中心に９０°回動可能である場合には、第２の枠１０を押し上げて扉８を起立させる手順を省略して、そのまま倒伏した扉８を蝶番１４を中心に回動して制御盤本体７の開口部６を開放すればよい。【００１５】
また、扉８が倒伏状態のときには、各カバー片１１には、各カバー片１１及び第２の枠１０の自重により、第１の回動軸１２を中心に時計方向にモーメントが作用し、各カバー片１１の側端面は、第１の枠９の内側面を押圧し、扉８は、各カバー片１１が一体化された形態が確保される。【００１６】
また、扉８は、上側のカバー片１１の下辺部位が下側のカバー片１１の上辺部位を外側から重ね合わせるように配設されているので、エレベータ制御盤２の上方から制御盤本体７内への水の浸入は防止される。
また、扉８が倒伏状態のときには、各カバー片１１には、各カバー片１１及び第２の枠１０の自重により、各カバー片１１には、第１の回動軸１２を中心に時計方向にモーメントが作用し、各カバー片１１の隣接した上下間の隙間は小さくなり、制御盤本体７の外部から内部への埃の侵入も低減される。【００１７】
また、図１４〜図１６は上記エレベータ制御盤２を２段に積層したときの図、図１７は下段のエレベータ制御盤２では第２の枠１０を押し上げる途中であり、図１８及び図１９は下段のエレベータ制御盤２では扉８が開放され、上段のエレベータ制御盤２では扉８が起立した状態を示す図である。
この図から分かるように、積層された各エレベータ制御盤２については、一方のエレベータ制御盤２の扉８が開放された後に、他方のエレベータ制御盤２の扉８を開放する場合、一方のエレベータ制御盤２に干渉されることなく開放することができる。【００１８】
実施の形態２．
図２０〜図２２はこの発明の実施の形態２のエレベータ制御盤２を示す図である。
この実施の形態２では、起立した扉８を保持する保持手段を備えている。
この保持手段では、最上位のカバー片１１の第２の枠１０側の下隅部に水平方向に延びて扉側長孔２０が形成されている。また、第２の枠１０の上部に垂直方向に延びて枠側長孔２１が形成されている。扉側長孔２０及び枠側長孔２１には、第２の回動軸１３が遊動可能に貫通している。【００１９】
扉８が閉じられた状態のときには、扉側長孔２０及び枠側長孔２１は図２０に示すように、扉側長孔２０と枠側長孔２１とは第２の回動軸１３を起点として直角である。
扉８が起立する途中では、図２１に示すように、第２の回動軸１３は、扉側長孔２０及び枠側長孔２１それぞれの上側内壁面に当接しており、カバー片１１は円滑に第２の回動軸１３を中心に回動する。
扉８が起立したときには、図２２に示すように、扉側長孔２０と枠側長孔２１とは完全に重なるので、第２の回動軸１３を介して第２の枠１０により支持されていたカバー片１１は、矢印Ｂの方向に下動し、第２の回動軸１３は、扉側長孔２０及び枠側長孔２１の下側内壁面に当接する。
即ち、第２の回動軸１３は、扉側長孔２０の内壁面に沿った移動が阻止され、扉８の起立状態が保持される。
この扉８の起立状態を解除するには、カバー片１１を第２の回動軸１３が扉側長孔２０及び枠側長孔２１の上側内壁面に当接する位置まで持ち上げればよい。
なお、上記保持手段は、最上位のカバー片１１に扉側長孔２０に長孔を形成し、この扉側長孔２０に対応して第２の枠１０に枠側長孔２１を形成したが、保持手段は、この位置に限定されるものではなく、何れかのカバー片１１に扉側長孔２０に長孔を形成し、この扉側長孔２０に対応して第２の枠１０に枠側長孔２１を形成すればよい。【００２０】
なお、上記各実施の形態では、６枚のカバー片１１を用いたエレベータ制御盤２について説明したが、６枚に限定するものではない。
また、制御盤本体７に対して扉８を回動可能にするのに、３個の蝶番１４を用いたが、勿論この個数についても３個に限定されるものではない。
【図１】
2008105060.tif 000003
【図２】
2008105060.tif 000004
【図３】
2008105060.tif 000005
【図４】
2008105060.tif 000006
【図５】
2008105060.tif 000007
【図６】
2008105060.tif 000008
【図７】
2008105060.tif 000009
【図８】
2008105060.tif 000010
【図９】
2008105060.tif 000011
【図１０】
2008105060.tif 000012
【図１１】
2008105060.tif 000013
【図１２】
2008105060.tif 000014
【図１３】
2008105060.tif 000015
【図１４】
2008105060.tif 000016
【図１５】
2008105060.tif 000017
【図１６】
2008105060.tif 000018
【図１７】
2008105060.tif 000019
【図１８】
2008105060.tif 000020
【図１９】
2008105060.tif 000021
【図２０】
2008105060.tif 000022
【図２１】
2008105060.tif 000023
【図２２】
2008105060.tif 000024
【国際調査報告】
2008105060.tif 000025
2008105060.tif 000026
2008105060.tif 000027
2008105060.tif 000028